(57)【要約】  本発明は、タッチパッドやタッチパッドに代表される押下を検出する入力装置による操作の出力再現性を高めることによって、その入力装置による直感的な操作性や細やかな操作性を向上させることができる携帯端末装置を提供する。  本発明の携帯端末装置は、各種情報を表示する表示部１１と、押下を検出するタッチパッド１２と、前記タッチパッド１２によって検出される押下領域に基づいて、前記表示部１１に表示すべきポインタの形状を制御する制御部１６と、を備えるものである。
2009031213.tif 000002
【特許請求の範囲】
【請求項１】
各種情報を表示する表示部と、
押下を検出する押下検出部と、
前記押下検出部によって検出される押下領域に基づいて、前記表示部に表示すべきポインタの形状を制御する制御部と、
を備える携帯端末装置。
【請求項２】
請求項１記載の携帯端末装置であって、
前記制御部は、前記ポインタが指定する範囲に、当該ポインタによって選択可能な表示対象の少なくとも一部が複数含まれる場合、前記表示対象のいずれかを選択するための操作を受け付ける、
携帯端末装置。
【請求項３】
請求項２記載の携帯端末装置であって、
操作部を備え、
前記制御部は、前記操作部により受け付ける、前記表示対象のいずれかを選択するための操作に基づいて、前記表示対象のいずれかを選択する、
携帯端末装置。
【請求項４】
請求項１または２記載の携帯端末装置であって、
前記制御部は、前記押下検出部によって検出される押下領域が複数ある場合、前記押下領域それぞれに基づく複数の前記ポインタを前記表示部に表示する、
携帯端末装置。
【請求項５】
請求項１から４のいずれか一項に記載の携帯端末装置であって、
前記制御部は、前記押下領域に相似する形状に前記ポインタの形状を制御する、
携帯端末装置。
【請求項６】
請求項１から４のいずれか一項に記載の携帯端末装置であって、
前記制御部は、所定の図形の形状に前記ポインタの形状を制御する、
携帯端末装置。
【請求項７】
請求項１から６のいずれか一項に記載の携帯端末装置であって、
前記制御部は、前記押下検出部により検出する押下の圧力に基づいて、前記ポインタの大きさを制御する、
携帯端末装置。
【請求項８】
請求項１から６のいずれか一項に記載の携帯端末装置であって、
操作部を備え、
前記操作部によって受け付けた入力操作を基に、前記ポインタの大きさを制御する、
携帯端末装置。
【請求項９】
押下された領域を検出し、
押下を検出した押下領域に基づいて、表示すべきポインタの形状を制御し、
形状が制御された前記ポインタを表示する、
表示制御方法。
【発明の詳細な説明】
【技術分野】
【０００１】
本発明は、タッチパネルやタッチパッドに代表される押下を検出する入力装置を備えた携帯端末装置に関し、特に、タッチパネルやタッチパッドによる操作性を向上させることを実現する携帯端末装置に関する。
【背景技術】
【０００２】
近年、携帯電話やＰＤＡ（Personal Digital Assistance）に代表される情報処理装置は、ＣＰＵの高クロック化、メモリ容量の増加に伴い、データ通信機能やデジタルカメラ機能など多様な機能を備えた高機能端末へと進化を遂げてきている。また集積回路の高集積化、各電子モジュールの小型化によって、ユーザが片手で持てるほどの小型サイズを実現している。こうしたなか、ユーザは、情報処理装置本体に設けられた、操作性に限りのある操作部によって、情報処理装置に搭載された多くの機能を使いこなす必要があり、複雑且つ直感的ではない操作を強いられている状況にある。【０００３】
こうしたなか、従来の情報処理装置（例えば、特許文献１）には、当該情報処理装置に備わる表示装置の背面にタッチパッドを配置し、装置利用者が当該情報処理装置を片手で保持した状態でタッチパッドによる操作を行うことによって、表示装置に表示されるポインタの位置を制御するものがある。
【特許文献１】特開２００２−３１８６４０号公報
【発明の開示】
【発明が解決しようとする課題】
【０００４】
しかしながら、特許文献１に開示されている情報処理装置では、装置利用者が当該携帯端末装置を保持する握り方次第で、タッチパッドを操作する際の指の接触面の範囲やその接触面における圧力分布などが変わるため、タッチパッドによる操作を行う装置利用者が意図する、情報処理装置の表示装置に表示されるであろう表示内容と、情報処理装置がその操作を基に表示する表示内容と、が一致せず、操作の出力再現性が低いという課題がある。さらに、表示装置の背面にタッチパッドが配置される上記情報処理装置では、装置利用者がタッチパッド操作時の指の接触面を視認することができないことも、操作の出力再現性を低下させる原因となっている。このように操作の出力再現性が低い情報処理装置によって実現される、タッチパッドを利用した直感的な操作や細やかな操作には、限界がある。【０００５】
本発明は、上記事情に鑑みてなされたもので、タッチパッドやタッチパッドに代表される押下を検出する入力装置による操作の出力再現性を高めることによって、その入力装置による直感的な操作性や細やかな操作性を向上させることができる携帯端末装置及び表示制御方法を提供することを目的とする。
【課題を解決するための手段】
【０００６】
本発明の携帯端末装置は、各種情報を表示する表示部と、押下を検出する押下検出部と、前記押下検出部によって検出される押下領域に基づいて、前記表示部に表示すべきポインタの形状を制御する制御部と、を備えるものである。【０００７】
また、本発明の表示制御方法は、押下された領域を検出し、押下を検出した押下領域に基づいて、表示すべきポインタの形状を制御し、形状が制御された前記ポインタを表示する、ものである。【０００８】
この構成により、タッチパッドやタッチパッドに代表される押下を検出する入力装置による操作の出力再現性を高めることによって、その入力装置による直感的な操作性や細やかな操作性を向上させることができる。【０００９】
また、本発明の携帯端末装置は、前記制御部が、前記ポインタが指定する範囲に、当該ポインタによって選択可能な表示対象の少なくとも一部が複数含まれる場合、前記表示対象のいずれかを選択するための操作を受け付ける、ものを含む。【００１０】
また、本発明の携帯端末装置は、操作部を備え、前記制御部が、前記操作部により受け付ける、前記表示対象のいずれかを選択するための操作に基づいて、前記表示対象のいずれかを選択する、ものを含む。【００１１】
この構成により、ポインタが指し示す範囲に、ポインタによる選択が可能な表示対象の表示領域の一部または全てが複数含まれている場合に、装置利用者は一つの表示対象を選択することができる。【００１２】
また、本発明の携帯端末装置は、前記制御部が、前記押下検出部によって検出される押下領域が複数ある場合、前記押下領域それぞれに基づく複数の前記ポインタを前記表示部に表示する、ものを含む。【００１３】
この構成により、装置利用者は、複数本の指によりタッチパッドを操作する場合であっても、複数のポインタを表示させることができる。【００１４】
また、本発明の携帯端末装置は、前記制御部が、前記押下領域に相似する形状に前記ポインタの形状を制御する、ものを含む。【００１５】
また、本発明の携帯端末装置は、前記制御部が、所定の図形の形状に前記ポインタの形状を制御する、ものを含む。【００１６】
また、本発明の携帯端末装置は、前記制御部が、前記押下検出部により検出する押下の圧力に基づいて、前記ポインタの大きさを制御する、ものを含む。【００１７】
また、本発明の携帯端末装置は、操作部を備え、前記操作部によって受け付けた入力操作を基に、前記ポインタの大きさを制御する、ものを含む。【００１８】
この構成により、装置利用者は、ポインタの形状、およびポインタの大きさを任意に設定することができる。
【発明の効果】
【００１９】
本発明の携帯端末装置及び表示制御方法によれば、タッチパッドやタッチパッドに代表される押下を検出する入力装置による操作の出力再現性を高めることによって、その入力装置による直感的な操作性や細やかな操作性を向上させることができる。
【図面の簡単な説明】
【００２０】
【図１】本発明の実施の形態の携帯端末装置の構成図
【図２】片手で保持される、本発明の実施の形態の携帯端末装置の正面図（ａ）及び背面図（ｂ）
【図３】本発明の実施の形態の携帯端末装置による処理の概略図、
【図４】本発明の実施の形態の携帯端末装置による処理の流れを示すフローチャート
【図５】本発明の実施の形態の携帯端末装置による表示例  （ａ）ポインタ５１による選択が可能な表示対象の表示を変えない場合  （ｂ）ポインタ５１による選択が可能な表示対象を識別可能に表示する場合
【図６】本発明の実施の形態の携帯端末装置による表示例  （ａ）最下部の表示対象をカーソル６２が指す場合  （ｂ）最上部の表示対象をカーソル６２が指す場合
【符号の説明】
【００２１】
１１  表示部
１２  タッチパッド
１３  操作キー
１４  実行プログラム記憶部
１５  演算情報記憶部
１６  制御部
２１  人差し指
２２  親指
３１  押下を検出したセル
３２  ポインタ
３３ａ、３３ｂ、３３ｃ  表示対象
３４  カーソル
５１  ポインタ
５２  カーソル
６１ａ、６１ｂ  ポインタ
６２  カーソル
【発明を実施するための最良の形態】
【００２２】
以下、本発明の実施の形態の携帯端末装置について説明する。まず、本発明の実施の形態の携帯端末装置の構成について、図１に示す、本発明の実施の形態の携帯端末装置の構成図を参照して説明する。本発明の実施の形態の携帯端末装置は、表示部１１、タッチパッド１２、操作キー１３、実行プログラム記憶部１４、演算情報記憶部１５、及び制御部１６を含んで構成される。表示部１１は、液晶ディスプレイや有機ＥＬディスプレイによって構成され、制御部１６から出力される制御信号に基づいて各種情報を表示する。タッチパッド１２は、装置利用者が押下した位置を検出する各種方式（例えば、静電容量方式、抵抗膜方式、または赤外線遮光方式など）のセンサによって構成され、そのセンサによって検出した信号を制御部１６に出力する。操作キー１３は、例えば、カーソルが進むべき方向を指示する方向キーや、０〜９までの番号や特定の機能が割り当てられたキーによって構成され、装置利用者から受け付けた入力信号を制御部１６に出力する。実行プログラム記憶部１４は、制御部１６が実行する各種プログラムを記憶する。演算情報記憶部１５は、制御部１６がプログラムを実行した結果出力されるデータを記憶する。制御部１６は、実行プログラム記憶部１４に記憶された各種プログラムを参照して各種演算処理を実行する。【００２３】
図２に、片手で保持される、本発明の実施の形態の携帯端末装置の正面図（ａ）及び背面図（ｂ）を示す。本発明の実施の形態の携帯端末装置は、片手で保持することができる程度の形状に設計されている。一つの面に表示部１１が、その面の背面にタッチパッド１２が、それぞれ設けられている。ここでは、表示部１１が設けられた面を正面、タッチパッド１２が設けられた面を背面としている。図２では、装置利用者は、左手で携帯端末装置を保持しており、人差し指２１をタッチパッド１２に接触させることによってタッチパッド１２の操作を、親指２２によって操作キー１３の操作を、それぞれ行っている。【００２４】
次に、制御部１６による演算処理については、図３に示す、本発明の実施の形態の携帯端末装置による処理の概略図、及び図４に示す、本発明の実施の形態の携帯端末装置による処理の流れを示すフローチャートを参照して説明する。【００２５】
まず、装置利用者が指をタッチパッド１２に接触させてタッチパッド１２による操作を行うと、制御部１６は、タッチパッド１２から、タッチパッド１２における押下された位置を示す信号を入力する（ステップ４０１）。例えば、タッチパッド１２が静電容量方式である場合、マトリクス状にコンデンサが配置されるタッチパッド１２は、押下されていない箇所に配置されているコンデンサからよりも、押下された箇所に配置されているコンデンサからより低い電圧値の信号を出力する。このため、制御部１６は、タッチパッド１２から出力される信号の電圧値から、タッチパッド１２における押下された位置座標を特定する。マトリクス状に配置されたコンデンサのうち、押下を検出したセル（図３（ａ）に示す、黒塗りのセル３１）の位置座標の集合を以後、押下領域と称する。【００２６】
制御部１６は、タッチパッド１２から入力した、タッチパッド１２における押下された位置を示す信号に基づいて、タッチパッド１２が押下された押下領域を特定すると（ステップ４０２）、その押下領域に基づきポインタ３２の形状を決定し（ステップ４０３）、その押下領域（あるいは、その押下領域を一部分として含む領域）にそのポインタ３２を表示部１１に表示させる（ステップ４０４）。制御部１６は、ポインタ３２の形状を押下領域に相似する形状とし、その形状の大きさを１／２倍、等倍、２倍、などとする。ポインタ３２の形状の大きさについては、制御部１６は、例えば、タッチパッド１２が検出した圧力の強弱に応じてその大きさを決定したり、ポインタ３２を表示中に操作キー１３から受け付けたボタン操作に応じてその大きさを決定したり、タッチパッド１２へのタップ（装置利用者による、タッチパッド１２をすばやく２度叩く操作）を検出したときや円を描くなど操作を検出したときなどに決定する。制御部１６は、所定のタイミングでタッチパッド１２から押下された位置を示す信号を入力すると、押下領域の特定（この処理は、図１に示す接触面算出プログラムを参照して行う）、ポインタの形状の決定（この処理は、図１に示す表示制御プログラムを参照して行う）、そのポインタの表示（この処理は、図１に示す表示制御プログラムを参照して行う）、の処理を繰り返し行うことにより、装置利用者によるタッチパッド１２の操作に応じて表示部１１上のポインタを移動させる。【００２７】
制御部１６は、上述のポインタを表示するための繰り返し処理と並行して、ＨＴＭＬで記述されたウェブサイト、操作メニュー情報（メニューランチャー、メニューアイコンなど）、時刻情報、背景画像などの各種表示対象を表示部１１に表示させる（ステップ４０５）。このとき、制御部１６は、各種表示対象を表示部に表示させるためのソースを解析して、各種表示対象のなかにポインタによる選択が可能な表示対象があれば（ステップ４０６、Ｙ）、その表示位置座標を取得しておく（ステップ４０７。この処理は、図１に示す表示情報取得プログラムを参照して行う）。【００２８】
こうして、制御部１６は、図３（ｃ）に示すように、ポインタ３２及び各種表示対象３３ａ、３３ｂ、３３ｃを表示部１１に表示する。制御部１６は、上述のポインタを表示するための繰り返し処理中、表示中のポインタ３２を構成する複数のセルの位置座標が、ポインタによる選択が可能な表示対象の表示位置座標と一致するか否かを判定している（ステップ４０８。この処理は、項目抽出プログラムを参照して行う）。図３（ｃ）では、表示中のポインタ３２を構成する複数のセルの位置座標と、ポインタによる選択が可能な表示対象の表示位置座標と、が一致しない場合を示しており（ステップ４０８、Ｎ）、表示位置座標が一致しなかった表示対象３３ａ、３３ｂ、３３ｃを無色で表示している。【００２９】
一方、制御部１６は、上述のポインタを表示するための繰り返し処理中、表示中のポインタ３２を構成する複数のセルの位置座標が、ポインタによる選択が可能な表示対象の表示位置座標と一致した場合（ステップ４０８、Ｙ）、図３（ｄ）に示すように、表示中のポインタ３２を構成する複数のセルの位置座標に表示位置座標が一致した表示対象３３ｃを、表示位置座標が一致しなかった表示対象３３ａ、３３ｂとは識別可能に表示部１１に表示させる（ステップ４１０）。図３（ｄ）では、表示位置座標が一致しなかった表示対象３３ａ、３３ｂを無色、表示位置座標が一致した表示対象３３ｃを色付き、にて表示する場合を示している。制御部１６は、操作キー１３による決定操作を受け付けたとき（ステップ４１１、Ｙ）、その時点で表示対象３３ｃが選択されたものと判断する（この処理は、図１に示す選択・決定プログラムを参照して行う）。その後、制御部１６は、表示対象３３ｃに応じた処理（例えば、次のメニュー項目へのジャンプ、アプリケーションプログラムの起動など）を実行する（ステップ４１２）。【００３０】
また、制御部１６は、上述のポインタを表示するための繰り返し処理中、表示中のポインタ３２を構成する複数のセルの位置座標が、ポインタによる選択が可能な表示対象の表示位置座標と一致した場合であって、その表示対象が複数個あるとき（ステップ４０９、Ｙ）、図３（ｅ）に示すように、表示中のポインタ３２を構成する複数のセルの位置座標に表示位置座標が一致した表示対象３３ｂ、３３ｃを、表示位置座標が一致しなかった表示対象３３ａとは識別可能に表示部１１に表示させ（ステップ４１３）、かつ、表示位置座標が一致した表示対象３３ｂ、３３ｃのいずれか一つを選択させるためのカーソル３４を表示させる（ステップ４１４）。制御部１６は、操作キー１３による操作によって、表示位置座標が一致した表示対象３３ｂ、３３ｃを切り替えて指し示すようカーソル３４を制御する（この処理は、図１に示す表示制御プログラムを参照して行う）。制御部１６は、カーソル３４を表示した後、操作キー１３による決定操作（この決定操作は、カーソル３４が選択する一つの表示対象を確定させるための操作）を受け付けたとき（ステップ４１５）、その時点でカーソル３４が指し示していた表示対象が選択されたものと判断する（この処理は、図１に示す選択・決定プログラムを参照して行う）。その後、制御部１６は、カーソル３４が指し示していた表示対象に応じた処理（例えば、次のメニュー項目へのジャンプ、アプリケーションプログラムの起動など）を実行する（ステップ４１６）【００３１】
図５に、本発明の実施の形態の携帯端末装置による表示例を示す。図５（ａ）、図５（ｂ）ともに、タッチパッド１２に接触する指の接触面の形状をポインタ５１の形状としたものであり、携帯端末装置が通信網を介して取得したウェブサイトを表示している例である。図５（ａ）は、ポインタ５１による選択が可能な表示対象の表示を変えない場合、図５（ｂ）は、ポインタ５１による選択が可能な表示対象を識別可能に表示する場合、をそれぞれ示している。図５（ｂ）において、ポインタ５１が指し示す範囲には、ポインタ５１による選択が可能な表示対象「・天気」、「・全国」、「・横浜」、「・通販」及び「・バーゲン情報」の表示領域の一部または全てが含まれている。このため、該当する表示対象「・天気」、「・全国」、「・横浜」、「・通販」及び「・バーゲン情報」は、ポインタ５１による選択が可能な他の表示対象「・居酒屋」、「・レストラン」、「・政治」、「・スポーツ」、「・芸能」及び「・地域」とは識別可能にするために、色付きで表示される。さらに、該当する表示対象「・天気」、「・全国」、「・横浜」、「・通販」及び「・バーゲン情報」には、装置利用者にこれらの表示対象からいずれか一つを選択させるためのカーソル５２が表示される。携帯端末装置は、これらの表示対象のいずれかにカーソル５２を表示した後、操作キー１３による決定操作を受け付けたとき、その時点でカーソル５２が指し示していた表示対象が選択されたものと判断する。【００３２】
以上、本発明の実施の形態の携帯端末装置、およびその携帯端末装置による表示制御方法によれば、タッチパッドに接触する接触面を表示部に表示されるポインタの形状に反映させることによって、装置利用者がタッチパッド操作時の指の接触面を表示部によって視認することができるため、操作の出力再現性を高めることができる。この結果、タッチパッドを利用した直感的な操作性や細やかな操作性を向上させることができる。【００３３】
また、ポインタが指し示す範囲に、ポインタによる選択が可能な表示対象の表示領域の一部または全てが複数含まれている場合に、これらの表示対象からいずれか一つを選択させるために、これらの表示対象のいずれか一つを指すカーソルを表示させることによって、装置利用者は一つの表示対象を選択することができる。なお、図３、図５では、カーソルが複数の表示対象のいずれかを指す表示例について説明したが、これに限るものではない。ポインタが指し示す範囲に含まれる、ポインタによる選択が可能な表示対象の表示領域のいずれか一つを、装置利用者が識別することができる表示形態（例えば、一つの表示対象の表示色を他の表示対象の表示色と異なるものにする）であればよい。【００３４】
また、本発明の実施の形態の携帯端末装置は、一つの面に表示部１１が、その面の背面にタッチパッド１２が、それぞれ設けられる構成について説明したが、タッチパッド１２が配置される位置は表示部の背面に限定されるものではない。例えば、図２（Ａ）に示す表示部１１の表示面と同一平面上にタッチパネル１２を配置する構成でもよいし、筐体側面（筐体正面と筐体背面以外の面）にタッチパネル１２を配置する構成でもよい。【００３５】
また、本発明の実施の形態の携帯端末装置は、タッチパッドを備える構成としたが、タッチパネルを備える構成のものであっても構わない。ここでいうタッチパッドとタッチパネルの違いは、押下を検出する接触面と表示部による表示面との位置関係によるものであり、タッチパネルは、押下を検出する接触面と表示部による表示面とが同一平面上にあり、かつ、接触面に表示面の一部が含まれるもの、タッチパッドは、押下を検出する接触面と表示部による表示面とが同一平面上にないもの、または、押下を検出する接触面と表示部による表示面とが同一平面上にあっても接触面に表示面の一部が含まれないもの、をそれぞれ指す。【００３６】
また、本発明の実施の形態の携帯端末装置では、装置利用者は、複数本の指によりタッチパッド１２を操作することも考えられる。図６に、本発明の実施の形態の携帯端末装置による表示例を示す。図６（ａ）、図６（ｂ）ともに、タッチパッド１２に接触する二本の指の接触面の形状をそれぞれポインタ６１ａ、６１ｂの形状としたものであり、携帯端末装置が通信網を介して取得したウェブサイトを表示している例である。携帯端末装置は、各ポインタ６１ａ、６１ｂに対して、図４のフローチャートを参照して説明した処理を行う。図６（ａ）、図６（ｂ）では、ポインタ６１ａによる選択が可能な表示対象「・天気」、「・全国」、「・横浜」、「・通販」及び「・バーゲン情報」、及び、ポインタ６１ｂによる選択が可能な表示対象「・スポーツ」、「・芸能」及び「・地域」が、色付きで表示される。なお、携帯端末装置は、カーソル６２が指す表示対象を制御する場合であって、ポインタ６１ａによる選択が可能な表示対象のうちの最下部の表示対象「・バーゲン情報」をカーソル６２が指しているとき（図６（ａ）の表示例）、さらにカーソル６２を下方向に移動する操作が行われると、ポインタ６１ｂによる選択が可能な表示対象のうちの最上部の表示対象「・スポーツ」をカーソル６２が指すように制御する（図６（ｂ）の表示例）。これにより、複数のポインタを表示させる場合であって、かつ、ポインタによって選択が可能な表示対象を各ポインタが範囲内に含む場合であっても、装置利用者は一つの表示対象を選択することができる。【００３７】
また、本発明の実施の形態の携帯端末装置は、ポインタの形状を押下領域に相似する形状とする代わりに、別の図形をポインタの形状として決定してもよい（図４のフローチャートにおけるステップ４０３の処理）。このとき、図４で説明したステップ４０８の処理において、ある図形によって形状が特定されるポインタを構成する複数のセルの位置座標が、ポインタによる選択が可能な表示対象の表示位置座標と一致するか否かを判定することになる。
【産業上の利用可能性】
【００３８】
以上、本発明の携帯端末装置及び表示制御方法によれば、タッチパッドやタッチパッドに代表される押下を検出する入力装置による操作の出力再現性を高めることによって、その入力装置による直感的な操作性や細やかな操作性を向上させることができるという効果を奏し、タッチパネルやタッチパッドに代表される押下を検出する入力装置を備えた携帯端末装置に関する分野において有用である。
【図１】
2009031213.tif 000003
【図２】
2009031213.tif 000004
【図３】
2009031213.tif 000005
【図４】
2009031213.tif 000006
【図５】
2009031213.tif 000007
【図６】
2009031213.tif 000008
【手続補正書】
【提出日】平成20年12月25日(2008.12.25)
【手続補正１】
【補正対象書類名】特許請求の範囲
【補正対象項目名】全文
【補正方法】変更
【補正の内容】
【特許請求の範囲】
【請求項１】
複数の選択可能な情報を表示する表示部と、
接触領域を検出する第１の操作部と、
前記情報のいずれかを選択する指示を受け付ける第２の操作部と、
前記第１の操作部で検出された接触領域に含まれる複数の情報のうち、少なくとも１つの情報が選択対象であることを識別可能に前記表示部に表示させ、前記第２の操作部で受け付けた指示に基づいて前記選択対象を切替えるよう制御する制御部と、
を有する携帯端末装置。
【請求項２】
前記制御部は、前記第１の操作部で検出された接触領域に基づいて、前記表示部にポインタを表示することを特徴とする請求項１記載の携帯端末装置。
【請求項３】
前記制御部は、前記第１の操作部で検出された接触領域が複数ある場合、前記接触領域それぞれに基づいて、複数の前記ポインタを前記表示部に表示することを特徴とする請求項２記載の携帯端末装置。
【請求項４】
前記制御部は、前記接触領域に相似する形状に前記ポインタの形状を制御することを特徴とする請求項２記載の携帯端末装置。
【請求項５】
前記制御部は、複数の選択可能な情報のうち、前記接触領域に含まれる情報と、前記接触領域に含まれていない情報とを区別して前記表示部に表示することを特徴とする請求項１記載の携帯端末装置。
【請求項６】
（削除）
【請求項７】
（削除）
【請求項８】
（削除）
【請求項９】
（削除）
【国際調査報告】
2009031213.tif 000009
2009031213.tif 000010